(57)【要約】画質の低下と、モアレを防止でき複数の波長の光を露光することができる画像露光装置および画像露光方法を提供する。画像露光装置（１０）は、複数の波長の光を発する画素を備える画像表示装置（２０）と、画像表示装置（２０）の画像を記録する感光性記録媒体（４０）を支持する感光性記録媒体支持部（７０）と、画像表示装置（２０）と感光性記録媒体支持部（７０）との間に配置された、画素から放射される複数の波長の光を含む放射光（ＲＬ）を、放射光（ＲＬ）の放射角より狭い第１の放射角（θ１）の範囲内の放射される第１の透過光（ＴＬ１）にするコリメート部（５０）と、コリメート部（５０）と感光性記録媒体支持部（７０）との間に配置された、複数の波長の光を含む第１の透過光（ＴＬ１）を、第１の放射角（θ１）の範囲以下の第２の放射角（θ２）の範囲内に放射される第２の透過光（ＴＬ２）にする干渉フィルタ（６０）と、を備える。
2019093038.tif 000002
【特許請求の範囲】
【請求項１】
複数の波長の光を発する画素を備える画像表示装置と、
前記画像表示装置の画像を記録する感光性記録媒体を、前記感光性記録媒体の露光面を前記画像表示装置に対向させて支持する感光性記録媒体支持部と、
前記画像表示装置と前記感光性記録媒体支持部との間に配置された、前記画素から放射される前記複数の波長の光を含む放射光を、前記放射光の放射角より狭い第１の放射角の範囲内に放射される第１の透過光にするコリメート部と、
前記コリメート部と前記感光性記録媒体支持部との間に配置された、前記複数の波長の光を含む第１の透過光を、前記第１の放射角の範囲以下の第２の放射角の範囲内に放射される第２の透過光にする干渉フィルタと、
を備える画像露光装置。
【請求項２】
前記干渉フィルタが、ｎ１の屈折率を有する複数の高屈折率層と、ｎ２の屈折率を有する複数の低屈折率層と、が交互に積層され、かつ前記高屈折率層の光学膜厚がλ／４の整数倍であり、前記低屈折率層の光学膜厚がλ／４の整数倍である多層膜により構成される請求項１に記載の画像露光装置。
【請求項３】
前記多層膜が、λ／４の４倍以上の光学膜厚を有する厚膜高屈折率層、又はλ／４の４倍以上の光学膜厚を有する厚膜低屈折率層の何れかを２層以上含む請求項２に記載の画像露光装置。
【請求項４】
前記厚膜高屈折率層又は前記厚膜低屈折率層の何れか２層のλ／４に対する光学膜厚の比が異なる請求項３に記載の画像露光装置。
【請求項５】
前記コリメート部が、ルーバー、ファイバーオプティックプレート、及びキャピラリプレートから選ばれる少なくとも１つを含む請求項１から４のいずれか１項に記載の画像露光装置。
【請求項６】
前記画像表示装置が二次元状に配列された画素を有し、
前記感光性記録媒体の前記露光面の二次元状の全ての領域を同時に露光する請求項１から５のいずれか１項に記載の画像露光装置。
【請求項７】
前記画像表示装置が一次元状に配列された前記画素を有し、
前記画像表示装置及び前記感光性記録媒体支持部に支持された前記感光性記録媒体の少なくともいずれか一方を、前記画像表示装置の前記画素の配列方向に対して垂直となる方向に沿って走査する走査部と、を備える請求項１から５のいずれか１項に記載の画像露光装置。
【請求項８】
前記画像表示装置が、前記感光性記録媒体の前記露光面より小さい面積となる領域の上に二次元状に配列された画素を有し、
前記画像表示装置及び前記感光性記録媒体支持部に支持された前記感光性記録媒体の少なくともいずれか一方を前記画像表示装置の前記画素の配列方向と前記画素の配列方向に対して垂直となる方向の両方に沿って走査する走査部を備える請求項１から５のいずれか１項に記載の画像露光装置。
【請求項９】
前記画素から放射される光による露光範囲において、隣り合う前記露光範囲が一部重複する請求項７又は８に記載の画像露光装置。
【請求項１０】
前記画像表示装置が、着脱可能である請求項１から９の何れか１項に記載の画像露光装置。
【請求項１１】
前記感光性記録媒体支持部は、前記感光性記録媒体を着脱可能に支持する請求項１から１０の何れか一項に記載の画像露光装置。
【請求項１２】
複数の波長の光を発する画素を備える画像表示装置を準備するステップと、
前記画像表示装置の画像を記録する感光性記録媒体を、前記感光性記録媒体の露光面を前記画像表示装置に対向させて支持する感光性記録媒体支持部を準備するステップと、
前記画像表示装置と前記感光性記録媒体支持部との間に配置され、前記画素から放射される前記複数の波長の光を含む放射光を、前記放射光の放射角より狭い第１の放射角の範囲内に放射される第１の透過光にするコリメート部と、前記コリメート部と前記感光性記録媒体支持部との間に配置され、前記複数の波長の光を含む第１の透過光を、前記第１の放射角の範囲以下の第２の放射角の範囲内に放射される第２の透過光にする干渉フィルタとを介して、前記感光性記録媒体の前記露光面に前記第２の透過光を露光するステップと、
を含む画像露光方法。
【発明の詳細な説明】
【技術分野】
【０００１】
本発明は画像露光装置、及び画像露光方法に係り、画像を感光性記録媒体に記録する画像露光装置、及び画像露光方法に関する。
【背景技術】
【０００２】
近年、インスタントフィルム等の感光性記録媒体に、発光表示スクリーン等の画像表示装置の表示画像を露光する装置が種々検討されている。【０００３】
例えば、特許文献１には、発光表示スクリーンとインスタントフィルムとの間に、コリメーション層を配置した装置が開示されている。特許文献１では、コリメーション層が発光表示スクリーンからの非平行光を遮断するので、装置内のレンズ等を不要にすることができる。【０００４】
また、特許文献２には、ピークシフト量が異なる２つのフィルタを積層したフィルタ装置を透過した特定の波長の光を感光材料に露光することが開示されている。特許文献２では、混色等を防止して再現性良く感光材料を露光することができる。
【先行技術文献】
【特許文献】
【０００５】
【特許文献１】米国特許第９１２６３９６号明細書
【特許文献２】特開平７−０４３５２８号公報
【発明の概要】
【発明が解決しようとする課題】
【０００６】
しかしながら、コリメーション層のアスペクト比ｈ／ｄ（ｈ：トンネル高さ、ｄ：トンネルの直径）によっては、ある広がりの放射角を持つ光がインスタントフィルムに照射されるため、画像の滲み等が生じ、画質が低下する懸念がある。また、トンネルの直径が画素ピッチより小さい場合でも、トンネルが画素ピッチの間に位置すると、画像のぼけを引き起こす光を遮光できない場合があり、画質の低下を招く懸念がある。また、コリメーション層が複数の光ファイバーを束にしたファイバアレイである場合、開口数が０．４３程度であり、受光角度が±２５°と大きくなる。【０００７】
コリメーション層では、発光表示スクリーンの画素ピッチとコリメーション層のトンネルピッチとの関係では、モアレが発生する場合もある。【０００８】
特許文献２のフィルタ装置では、３０°を超える入射角度の光を透過させるので漏れ光となり、画像の滲み等が生じ、画質が低下する懸念がある。また、このフィルタ装置は一定の波長の光を透過させることに適用されており、複数の波長を含む光を透過させることを開示していない。【０００９】
本発明はこのような事情に鑑みてなされ、画質の低下、及びモアレの発生を抑制でき、複数の波長の光を露光することができる画像露光装置、及び画像露光方法を提供することを目的とする。
【課題を解決するための手段】
【００１０】
本発明の目的を達成するために、第１形態の画像露光装置は、複数の波長の光を発する画素を備える画像表示装置と、画像表示装置の画像を記録する感光性記録媒体を、感光性記録媒体の露光面を画像表示装置に対向させて支持する感光性記録媒体支持部と、画像表示装置と感光性記録媒体支持部との間に配置された、画素から放射される複数の波長の光を含む放射光を、放射光の放射角より狭い第１の放射角の範囲内に放射される第１の透過光にするコリメート部と、コリメート部と感光性記録媒体支持部との間に配置された、複数の波長の光を含む第１の透過光を、第１の放射角の範囲以下の第２の放射角の範囲内に放射される第２の透過光にする干渉フィルタと、を備える。【００１１】
第２形態の画像露光装置において、干渉フィルタが、ｎ１の屈折率を有する複数の高屈折率層と、ｎ２の屈折率を有する複数の低屈折率層と、が交互に積層され、かつ高屈折率層の光学膜厚がλ／４の整数倍であり、低屈折率層の光学膜厚がλ／４の整数倍である多層膜により構成される。【００１２】
第３形態の画像露光装置において、多層膜が、λ／４の４倍以上の光学膜厚を有する厚膜高屈折率層、又はλ／４の４倍以上の光学膜厚を有する厚膜低屈折率層の何れかを２層以上含む。【００１３】
第４形態の画像露光装置において、厚膜高屈折率層又は厚膜低屈折率層の何れか２層のλ／４に対する光学膜厚の比が異なる。【００１４】
第５形態の画像露光装置において、コリメート部が、ルーバー、ファイバーオプティックプレート、及びキャピラリプレートから選ばれる少なくとも１つを含む。【００１５】
第６形態の画像露光装置において、画像表示装置が二次元状に配列された画素を有し、感光性記録媒体の露光面の二次元状の全ての領域を同時に露光する。【００１６】
第７形態の画像露光装置において、画像表示装置が一次元状に配列された画素を有し、画像表示装置及び感光性記録媒体支持部に支持された感光性記録媒体の少なくともいずれか一方を、画像表示装置の画素の配列方向に対して垂直となる方向に沿って走査する走査部と、を備える。【００１７】
第８形態の画像露光装置において、画像表示装置が、感光性記録媒体の露光面より小さい面積となる領域の上に二次元状に配列された画素を有し、画像表示装置及び感光性記録媒体支持部に支持された感光性記録媒体の少なくともいずれか一方を画像表示装置の画素の配列方向と画素の配列方向に対して垂直となる方向の両方に沿って走査する走査部を備える。【００１８】
第９形態の画像露光装置において、画素から放射される光による露光範囲において、隣り合う露光範囲が一部重複する。【００１９】
第１０形態の画像露光装置において、画像表示装置が、着脱可能である。着脱可能とは、取り付けおよび取り外しできることをいう。【００２０】
第１１形態の画像露光装置において、感光性記録媒体支持部は、感光性記録媒体を着脱可能に支持する。【００２１】
第１２形態の画像露光方法において、複数の波長の光を発する画素を備える画像表示装置を準備するステップと、画像表示装置の画像を記録する感光性記録媒体を、感光性記録媒体の露光面を画像表示装置に対向させて支持する感光性記録媒体支持部を準備するステップと、画像表示装置と感光性記録媒体支持部との間に配置され、画素から放射される複数の波長の光を含む放射光を、放射光の放射角より狭い第１の放射角の範囲内に放射される第１の透過光にするコリメート部と、コリメート部と感光性記録媒体支持部との間に配置され、複数の波長の光を含む第１の透過光を、第１の放射角の範囲以下の第２の放射角の範囲内に放射される第２の透過光にする干渉フィルタと、を介して、感光性記録媒体の露光面に第２の透過光を露光するステップと、を含む。
【発明の効果】
【００２２】
本発明によれば、画質の低下、及びモアレの発生を抑制でき、かつ複数の波長の光を露光することができる
【図面の簡単な説明】
【００２３】
【図１】図１は、本発明の原理を説明する図である。
【図２】図２は、本発明の露光方法を示すフローチャートである。
【図３】図３は、実施形態の入射角度と透過率との関係を示すグラフである。
【図４】図４は、実施形態の入射角度と透過率との関係を示すグラフである。
【図５】図５は、実施形態の入射角度と透過率との関係を示すグラフである。
【図６】図６は、実施形態の入射角度と透過率との関係を示すグラフである。
【図７】図７は、実施形態の入射角度と透過率との関係を示すグラフである。
【図８】図８は、実施形態の入射角度と透過率との関係を示すグラフである。
【図９】図９は、実施形態の入射角度と透過率との関係を示すグラフである。
【図１０】図１０は、第１実施形態の画像露光装置の分解斜視図ある。
【図１１】図１１は、第１実施形態の画像露光装置の断面図である。
【図１２】図１２は、第２実施形態の画像露光装置の斜視図である。
【図１３】図１３は、第２実施形態の画像露光装置の変形例の斜視図である。
【図１４】図１４は、第３実施形態の画像露光装置の斜視図である。
【図１５】図１５は、第３実施形態の画像露光装置の変形例の斜視図である。
【発明を実施するための形態】
【００２４】
以下、添付図面にしたがって本発明の好ましい実施形態について説明する。本発明は以下の好ましい実施形態により説明される。本発明の範囲を逸脱すること無く、多くの手法により変更を行うことができ、実施形態以外の他の実施形態を利用することができる。したがって、本発明の範囲内における全ての変更が特許請求の範囲に含まれる。
【００２５】
本発明の原理を、図１を参照して説明する。図１に示されるように、画像露光装置１０は、画像表示装置２０と、感光性記録媒体４０を支持する感光性記録媒体支持部７０とを備える。感光性記録媒体支持部７０は、感光性記録媒体４０を直接的に支持しても、間接的に支持してもよい。
【００２６】
画像表示装置２０は画素２１を備える。画素２１から複数の波長の光を含む放射光ＲＬが画像表示装置２０の画像表示面２３から発せられる。画素２１とは、画像表示面２３を構成する色情報の最小単位である。画素２１を有することにより、画像表示装置２０は、画像を表示できる。
【００２７】
画像表示装置２０は画像を表示するため複数の画素２１を備えることが好ましい。画素２１を有する画像表示装置２０として、液晶表示（LCD: liquid crystal display）装置、有機発光ダイオード（OLED: Organic Light Emitting Diode）表示装置、プラズマ表示装置、発光ダイオード(LED: Light Emitting Diode)表示装置、CRT（Cathode Ray Tube）表示装置等を適用することができる。
【００２８】
画素２１が何らかの色情報を表示でき、画像を表示することができれば、画像表示装置２０は上述の構造に限定されない。
【００２９】
ここで、画素２１には、例えば、液晶表示装置に代表されるようにバックライトユニットの光が画素２１を介して放射する場合、及び有機発光ダイオード表示装置に代表されるように、画素２１自体が光を放射する場合、を含む。
【００３０】
画像表示装置２０の画像表示面２３は、二次元状に配列された画素２１を有していても、一次元状に配列された画素２１を有していてもよい。また、二次元状の画像表示面２３は、平面視において矩形であっても、矩形以外の形状であってもよい。
【００３１】
感光性記録媒体支持部７０は、感光性記録媒体４０が、画像表示装置２０の画像表示面２３に対向する位置に配置されるように、感光性記録媒体４０を支持する。感光性記録媒体支持部７０は、感光性記録媒体４０を支持することができる限り、その構造は特に限定されない。
【００３２】
感光性記録媒体４０は、光により露光でき、画像を形成できるものであれば、特に限定されない。
【００３３】
感光性記録媒体４０は、例えば、支持体と、支持体の上に設けられた感光材とから構成される。感光性記録媒体４０は光により露光される露光面４１を有する。感光性記録媒体４０として、写真フィルム，乾板，印画紙や青写真，陽画感光紙，製版用湿板、フォトレジスト、インスタントフィルムなど、感光性をもった製品であれば、特に限定されない。インスタントフィルムを適用することが好ましい。
【００３４】
図１に示されるように、画像露光装置１０は、画像表示装置２０と感光性記録媒体支持部７０との間に配置されたコリメート部５０と、コリメート部５０と感光性記録媒体支持部７０との間に配置された干渉フィルタ６０と、を備える。
【００３５】
コリメート部５０は、画素２１から放射される複数の波長を含む放射光ＲＬを透過させることにより、放射光ＲＬを、放射光ＲＬの放射角より狭い第１の放射角θ１の範囲内に放射される第１の透過光ＴＬ１にする。ここで、放射角とは、光の光軸に対する光の広がりの角度を意味する。
【００３６】
隣接する画素２１からの光が感光性記録媒体４０の露光面４１に到達すると、画質の低下を引き起こす。コリメート部５０は、画素２１に対応する光のみを露光面４１に到達させ、隣接する画素２１からの光が露光面４１に到達することを制限する。画像露光装置１０はコリメート部５０を備えるので、画像露光装置１０は、感光性記録媒体４０に画像露光装置１０からの光を結像するためのレンズ等の光学系を備える必要がない。コリメート部５０は、１ｍｍ以上５ｍｍ以下の厚さを有することが好ましい。
【００３７】
コリメート部５０は、として、例えば、ルーバー、ファイバーオプティックプレート、及びキャピラリプレートから選ばれる少なくとも１つを適用することができる。
【００３８】
ルーバーは、複数の光透過部と、複数の光透過部の間に配置され、隣接する空間に光を到達させない光吸収体と、から構成される。光透過部は、例えば、矩形であり、一定のピッチで二次元的に配列される。ピッチとは、隣接するものの距離を意味する。
【００３９】
例えば、２個のルーバーにより光透過部を形成することができる。一の方向に延びる光透過部と光吸収体とを交互に配置したルーバーを２個重ね合せ、上下の光透過部で成す角度を例えば、９０°とすることで、矩形の光透過部を形成することができる。上下の光透過部で成す角度は９０°に限定されず、適宜決定することができる。
【００４０】
ファイバーオプティックプレートは、一定のピッチで二次元的に複数配列された、光を転送する複数の光ファイバーと、光ファイバーから漏れた光を吸収する吸収体ガラスと、を含むプレートである。
【００４１】
キャピラリプレートは、一定のピッチで二次元的に複数配列された、数十μｍ以下の径を有する毛細管（キャピラリ）の集合体からなるプレートである。
【００４２】
実施形態における、コリメート部５０は、ルーバー、ファイバーオプティックプレート、及びキャピラリプレート等に代表されるように、画素２１からの光の放射角を制限するため、光伝送部（光透過部、毛細管等）を、光反射、及び／又は光吸収の機能を有する光遮蔽部（光吸収体、吸収体ガラス、及び毛細管の外壁等）で囲う物理的な構造を備えている。
【００４３】
そのため、放射光ＲＬを第１の放射角θ１よりも狭い範囲に制限した場合でも、画素２１のピッチと、コリメート部５０のピッチとの関係により干渉縞と呼ばれるモアレが、第１の透過光ＴＬ１に生じる懸念がある。モアレの生じた第１の透過光ＴＬ１が、直接、感光性記録媒体４０の露光面４１に露光されると、画質の低下を招く場合がある。
【００４４】
コリメート部５０を構成する光伝送部のアスペクト比ｈ／ｄ（ｈ：伝送部高さ、ｄ：伝送部直径）の関係によっては、第１の放射角θ１を所望する角度以下に制限できない場合がある。コリメート部５０の伝送部直径ｄは、加工精度に依存する。伝送部高さｈ（コリメート部５０の厚み）は、画像露光装置１０の全体の大きさに依存する。伝送部直径ｄ、及び伝送部高さｈを所望の大きさにできない場合もある。
【００４５】
また、コリメート部５０が、オプティカルファイバアレイである場合、開口数ＮＡ（numerical aperture）が０．４３程度である。開口数ＮＡとオプティカルファイバアレイの受光角度θとは、ＮＡ＝ｎ×ｓｉｎθ（ｎ：屈折率）の関係がある。空気の屈折率ｎ＝１とすると、０．４３＝ｓｉｎθとなる。θ＝ａｓｉｎ（０．４３）＝±２５°となる。受光角度θは１個のファイバーの光軸に対する角度を意味する。放射光ＲＬを、コリメート部５０を透過させて、第１の放射角θ１に第１の透過光ＴＬ１に制限しても、感光性記録媒体４０に隣接する画素２１からの光が到達し、結果、画質の低下を招く場合がある。
【００４６】
放射角を制限するためには、コリメート部５０は、画像表示装置２０、及び感光性記録媒体４０に密着させることが望ましい。しかしながら、画像露光装置１０の構造上、完全に密着させることは困難を伴う。
【００４７】
上述したように、コリメート部５０を、画像表示装置２０と、感光性記録媒体支持部７０との間に配置するのみでは、画素２１からの放射光ＲＬの放射角を十分に制限できない懸念がある。
【００４８】
上述の懸念に対応するため、実施形態の画像露光装置１０は、コリメート部５０と感光性記録媒体４０を支持する感光性記録媒体支持部７０との間に、複数の波長の光を透過する干渉フィルタ６０を備えている。
【００４９】
干渉フィルタ６０は、コリメート部５０と同様に、光の放射角を制限する機能を有する。図１に示されるように、干渉フィルタ６０は、第１の透過光ＴＬ１を、第１の放射角θ１の範囲以下の第２の放射角θ２の範囲内に放射される第２の透過光ＴＬ２にする。実施形態の干渉フィルタ６０は、コリメート部５０とは異なり、光の放射角を制限するための、上述の光伝送部及び光遮蔽部のような物理的な構造を備えていない。
【００５０】
コリメート部５０により制限された第１の透過光ＴＬ１を、干渉フィルタ６０は、さらに制限された第２の放射角θ２の範囲内に放射される第２の透過光ＴＬ２にする。したがって、隣接する画素２１間で重なり合う第１の透過光ＴＬ１が露光面４１に到達するのを防止でき、画質の低下を防止することができる。特に、コリメート部５０がオプティカルファイバープレートであって、受光角度θが２５°より大きい場合に、干渉フィルタ６０を配置することは、画質の低下を防止するのに有利である。したがって、画像露光装置１０は、画像表示装置２０と、コリメート部５０と、干渉フィルタ６０と、感光性記録媒体４０を支持する感光性記録媒体支持部７０と、をこの順で備えることが重要になる。受光角度θとは、光がコリメート部５０に入射する際、コリメート部５０の入射面の法線と光の入射方向とが成す角度であって、コリメート部５０の内部を全反射する角度を意味する。
【００５１】
また、干渉フィルタ６０は、コリメート部５０と比較して、厚みが小さいので、画像露光装置１０の構造上の制限を受けにくい。
【００５２】
なお、干渉フィルタ６０は物理的な構造を備えておらず、かつ第１の放射角θ１の範囲以下、好ましくは狭い第２の放射角θ２の範囲内に放射される第２の透過光ＴＬ２にするので、モアレを解消することができる。なお、画素２１のピッチよりコリメート部５０のピッチを大きくすることにより、モアレを解消することができる。コリメート部５０のピッチを大きくした場合でも、干渉フィルタ６０により、隣接する画素２１間で重なり合う第１の透過光ＴＬ１が露光面４１に到達するのを防止できる。
【００５３】
放射角は、ビーム光を入射して、透過光の角度分布から測定する。角度プロファイルで、ピーク光の半分になった角度を、放射角とする。長波と短波側の両方で測定し、その幅を放射角とする。例えば、分光変角色差計・光度計GC5000 （日本電色工業製）を使えば測定可能である。
【００５４】
次に、干渉フィルタ６０の好ましい態様について説明する。干渉フィルタ６０の一例として、複数の誘電体層で構成される多層膜の干渉フィルタを挙げることができる。
【００５５】
干渉フィルタ６０は、ｎ１の屈折率を有する誘電体材料で構成される複数の高屈折率層と、ｎ２の屈折率を有する誘電体材料で構成される複数の低屈折率層とを交互に積層する多層膜により構成される。
【００５６】
高屈折率層、及び低屈折率層に適用される誘電体材料として以下を挙げることができる。屈折率は波長により異なるため、対象とする光の波長に応じて適宜材料を選択することが好ましい。
【００５７】
可視光域において、概ね１．６以上の屈折率ｎ１を有する、高屈折率層用の材料として、ＴｉＯ２、ＣｅＯ２、Ｔａ２Ｏ５、ＺｒＯ２、Ｓｂ２Ｏ３、ＨｆＯ２、Ｌａ２Ｏ３、ＮｄＯ３、Ｙ２Ｏ３、ＺｎＯ、Ｎｂ２Ｏ５、ＭｇＯ、Ａｌ２Ｏ３、ＣｅＦ３、ＬａＦ３、及びＮｄＦ３を挙げることができる。
【００５８】
また、可視光域において、概ね１．５以下の屈折率ｎ２を有する、低屈折率層用の材料として、ＳｉＯ２、ＡｌＦ３、ＭｇＦ２、Ｎａ３ＡｌＦ６、ＮａＦ、ＬｉＦ、ＣａＦ２、及びＢａＦ２を挙げることができる。
【００５９】
干渉フィルタ６０では、特定波長において、入射角度の大きい光は、入射角度の小さい光より、スペクトルのピークが短波長にシフトすることが知られている。
【００６０】
この特性を利用することにより、干渉フィルタ６０に、特定波長において、特定角度で入射して透過するスペクトルのピーク波長が等しく、かつ、特定角度と異なる角度で入射して透過するスペクトルのピークシフト量が異なる２つの狭帯域干渉フィルタを備えさせることができる。
【００６１】
このピークシフト量は、干渉フィルタ６０の層構造により決定できる。すなわち、第１の透過光ＴＬ１から、第２の放射角θ２の範囲を超える光を透過せず、第２の放射角θ２の範囲以内の光を透過し、第２の透過光ＴＬ２となるように、干渉フィルタ６０の高屈折率層及び低屈折率層の層数と膜厚とを決定することができる。
【００６２】
高屈折率層、及び低屈折率層の層数と膜厚は、例えば、公知の手法（H.A.Macleod 著「光学薄膜」、日刊工業新聞社刊、１９８９年、第４７頁〜５１頁参照）により算出することができる。
【００６３】
この計算を実施するためには、コンピュータプログラムを使用でき、例えば、Software Spectra, Inc.(USA) 製のソフトTFCalc(Thin Film Calculations)を用いることができる。コンピュータプログラムを利用する場合、透過スペクトルのピーク波長となる目的波長λが設定される。次いで、この目的波長λに基づいて、屈折による干渉を生じさせる複数の高屈折率層及び複数の低屈折率層の多層膜が設計される。
【００６４】
このように設計された、高屈折率層の物理膜厚は目的波長の（λ／４）×ｎ１の整数倍の値になり、その光学膜厚は目的波長のλ／４の整数倍の値になる。同様に、低屈折率層の物理膜厚は目的波長の（λ／４）×ｎ２の整数倍の値になり、その光学膜厚は目的波長のλ／４の整数倍の値になる。なお、光学膜厚は、各層の物理膜厚に層の屈折率を乗じた値になる。本明細書においては、整数倍とは、完全な整数倍の場合の他、略整数倍も含む。略整数倍とは算出に基づく許容範囲内で、整数倍に対する差分を含むことを意味し、±１０％が整数倍として許容される。
【００６５】
なお、上記の多層膜の設計は、特定の波長及びその近傍の光を透過する狭帯域干渉フィルタとして使用するのに適している。しかしながら、画像表示装置２０の画素２１から放射される放射光ＲＬは、複数の波長の光を含んでいる。そのため干渉フィルタ６０には、特定の波長だけでなく、複数の波長の光を透過させ、かつ放射角を制限することが求められる。実施形態の干渉フィルタ６０は、複数の波長を透過できる多層膜の設計がなされている。
【００６６】
表１から表３は、複数の波長の光を透過できる干渉フィルタ６０の代表的な多層膜の構造を示している。何れもが、２４層である。種類の欄に表示されるｎ１は高屈折率層を、ｎ２は低屈折率層を意味する。光学膜厚／（λ／４）は、λ／４に対する光学膜厚の比を示している。すわなち、各層の光学膜厚が（λ／４）の何倍であるかを示している。
【００６７】
表１に示される多層膜は、１２層の高屈折率層と、１２層の低屈折率層とを有している。高屈折率層の光学膜厚は、第７の層を除き、（λ／４）に対して１倍である。第７の層の光学膜厚は（λ／４）に対して６倍である。低屈折率層の光学膜厚は、第１８の層を除き、（λ／４）に対して１倍である。第１８の層の光学膜厚は（λ／４）に対して８倍である。
【００６８】
【表１】
2019093038.tif 000003
【００６９】
表２に示される多層膜は、１２層の高屈折率層と、１２層の低屈折率層とを有している。全ての高屈折率層の光学膜厚は、（λ／４）に対して１倍である。低屈折率層の光学膜厚は、第６の層と第１８の層とを除き、（λ／４）に対して１倍である。第６の層の光学膜厚は（λ／４）に対して６倍であり、第１８の層の光学膜厚は（λ／４）に対して８倍である。
【００７０】
【表２】
2019093038.tif 000004
【００７１】
表３に示される多層膜は、１２層の高屈折率層と、１２層の低屈折率層とを有している。高屈折率層の光学膜厚は、第７の層と第１９の層とを除き、（λ／４）に対して１倍である。第７の層の光学膜厚は（λ／４）に対して６倍であり、第１９の層の光学膜厚は（λ／４）に対して８倍である。全ての低屈折率層の光学膜厚は、（λ／４）に対して１倍である。
【００７２】
【表３】
2019093038.tif 000005
【００７３】
表１から表３に示される光学膜厚の値は、（λ／４）に対して完全な整数倍である。完全な整数倍だけでなく略整数倍であってもよい。
【００７４】
表１から表３に示される多層膜は、（λ／４）の４倍以上の光学膜厚を有する厚膜高屈折率層、又は（λ／４）の４倍以上の光学膜厚を有する厚膜低屈折率層の何れかを２層以上を含んでいる。
【００７５】
表１の多層膜では、第７の層が厚膜高屈折率層（６倍）であり、第１８の層が厚膜低屈折率層（８倍）である。１層の厚膜高屈折率層と１層の厚膜低屈折率層の計、２層を含んでいる。
【００７６】
表２の多層膜では、第６の層が厚膜低屈折率層（６倍）であり、第１８の層が厚膜低屈折率層（８倍）である。２層の厚膜低屈折率層を含んでいる。
【００７７】
表３の多層膜では、第７の層が厚膜高屈折率層（６倍）であり、第１９の層が厚膜高屈折率層（８倍）である。２層の厚膜高屈折率層を含んでいる。
【００７８】
また、表１から表３の多層膜において、２層の（λ／４）に対する光学膜厚の比が異なる。表１から表３の構造において、２層の厚膜層（厚膜高屈折率層及び／又は厚膜低屈折率層）の比は、６：８であり、異なっている。
【００７９】
２層の厚膜層は、多層膜の最初の層を基準に１／４程度の位置と、３／４程度の位置に配置される。表１の多層膜では、７／２４と１８／２４の位置に厚膜層がそれぞれ配置される。表２の多層膜では、６／２４と１８／２４の位置に厚膜層がそれぞれ配置される。表３の多層膜では、７／２４と１８／２４の位置に厚膜層がそれぞれ配置される。
【００８０】
多層膜を上述の構成とすることにより、複数の波長の光を透過することができ、かつ光の放射角を制限することができる。
【００８１】
上述のTFCalcを利用した多層膜の構造と、波長に対する透過率のグラフについて説明する。表４は５４層の多層膜の構造を示している。波長を５５０ｎｍとし、高屈折率層としてＮｂ５Ｏ２を適用し、低屈折率層としてＳｉＯ２を適用した。ここでの膜厚は物理膜厚を示している。表４に示されるように、第１４の層が厚膜低屈折率層に相当し、第４１の層が厚膜高屈折率層に相当する。
【００８２】
【表４】
2019093038.tif 000006
【００８３】
図３から図９は、表４に示される多層膜の入射角度と透過率との関係を示すグラフである。縦軸は透過率（％）を示し、横軸は波長（ｎｍ）を示している。
【００８４】
図３は入射角度が０°のグラフである。入射角度は光が干渉フィルタに入射する際、干渉フィルタの入射面の法線と光の入射方向とが成す角度を意味する。図３は光が干渉フィルタに垂直に入射する場合を示している。
【００８５】
図３に示されるように、グラフは干渉フィルタを透過したスペクトルを表している。干渉フィルタを透過した光は、約４９０ｎｍ、約５５０ｎｍ、及び約６３０ｎｍにピークを有し、各波長は２０％以上の透過率を有している。入射角度が０°において、干渉フィルタが複数の波長を透過することを理解できる。
【００８６】
図４は入射角度が１０°のグラフである。図４に示されるよう、約４９０ｎｍ、約５５０ｎｍ、及び約６３０ｎｍにピークを有する光の透過率は、５％以下の透過率である。
【００８７】
図５は入射角度が２０°のグラフであり、図６は入射角度が３０°のグラフであり、図７は入射角度が４０°のグラフであり、図８は入射角度が５０°のグラフであり、図９は６０°のグラフである。
【００８８】
図５及び図６から明らかなように、干渉フィルタは、入射角度が１０°を超えかつ３０°以下の、約４９０ｎｍ、約５５０ｎｍ、及び約６３０ｎｍにピークを有する光を透過しないことを理解できる。実施形態の多層膜を有する干渉フィルタを透過した約４９０ｎｍ、約５５０ｎｍ、及び約６３０ｎｍにピークを有する光は、放射角が１０°以下に制限されることを理解できる。
【００８９】
一方、図７から図９によれば、単独の干渉フィルタでは、入射角度が４０°以上の場合、約４９０ｎｍ、約５５０ｎｍ、及び約６３０ｎｍにピークを持つ光とは異なる光のスペクトラムがグラフに示されている。これらの光が干渉フィルタを透過することが示されている。これらの光は、意図しないで干渉フィルタを透過した光で、いわゆる漏れ光となる。漏れ光が露光面に到達すると画質の低下を招く懸念がある。
【００９０】
実施形態では、コリメート部５０が、３０°以上の入射角度になる放射角の光を制限するので、干渉フィルタ６０からの漏れ光を抑制できる。漏れ光が露光面４１に到達することを防止できる。
【００９１】
なお、図３の入射角度０°のグラフには、短波長の側にピークを持つスペクトルが表れている。感光性記録媒体４０を露光する際に、影響が出ることが懸念される。そこで、短波長の側にピークを持つスペクトルが干渉フィルタ６０を透過しないように、光学フィルタを配置することが好ましい。例えば、光学干渉膜や、光吸収材料を用いた光学フィルタを使うことができる。前者の例としては、エドモンドオプティクス社製のダイクロイックロングパスフィルタが挙げられる。後者の例としては、エドモンドオプティクス社製のＵＶ吸収フィルタが挙げられる。
【００９２】
次に、画像露光装置１０を用いた画像露光方法について説明する。図２は、本発明の露光方法を示すフローチャートである。まず、画像表示装置２０を準備する（ステップＳ１１）。次いで、画像表示装置２０の画像を記録する感光性記録媒体４０を、感光性記録媒体４０の露光面４１を画像表示装置２０に対向させて支持する感光性記録媒体支持部７０を準備する（ステップＳ１２）。ステップＳ１１の画像表示装置２０の準備と、ステップＳ１２の感光性記録媒体支持部７０の準備とは、順序に関して、いずれが先であってもよい。
【００９３】
次いで、画像表示装置２０からの光を、感光性記録媒体４０の露光面４１に露光する（ステップＳ１３）。ステップＳ１３において、画像表示装置２０と感光性記録媒体支持部７０との間に配置され、画素２１からの複数の波長の光を含む放射光ＲＬを、放射光ＲＬの放射角より狭い第１の放射角θ１の範囲内に放射される第１の透過光ＴＬ１にするコリメート部５０と、コリメート部５０と感光性記録媒体支持部７０との間に配置され、複数の波長の光を含む第１の透過光ＴＬ１を、第１の放射角θ１の範囲以下の第２の放射角θ２の範囲内に放射される第２の透過光ＴＬ２にする干渉フィルタ６０とを介して、感光性記録媒体４０の露光面４１に第２の透過光ＴＬ２を露光する。
【００９４】
次に、本発明の好ましい実施形態について説明する。以下の実施形態で、代表的な画像露光装置の構成について説明する。これらの実施形態は、例示の目的のみのためであり、本明細書に記載の画像露光装置を限定することを意味するものではない。
【００９５】
＜第１実施形態＞
図１０は第１実施形態に係る画像露光装置１００の分解斜視図であり、図１１は第１実施形態に係る画像露光装置１００の断面図である。
【００９６】
図１０、及び図１１に示されるように、第１実施形態の画像露光装置１００は、画像表示装置１１０を備える。図１０に示されるように、画像表示装置１１０は二次元状である。二次元状とは、Ｘ−Ｙ方向に延びる状態を意味する。第１実施形態では画像表示装置１１０はＸ−Ｙ方向に延びている。また、画像表示装置１１０の複数の画素（不図示）も二次元状に配列される。
【００９７】
二次元状の画像表示装置１１０として、例えば、スマートフォン、及びタブレットに代表される携帯端末が適用できる。画像表示装置１１０は画像を表示することができれば、画像表示方式に限定はなく、ＬＣＤ方式、ＯＬＥＤ方式等の構造が適用できる。画像表示装置は、表面ガラスを除去するのが好ましい。
【００９８】
ＬＣＤ方式の場合、画像表示装置１１０は、例えば、光源として機能するバックライトユニット、及び画像を表示するためのカラーフィルタを備える複数の画素を備える。複数の画素を保護するため、画像表示装置１１０は筐体及び表面ガラス等を備えることが好ましい。
【００９９】
図１０、及び図１１に示されるように、画像露光装置１００は、コリメート部としてファイバーオプティックプレート１２０を備える。ファイバーオプティックプレート１２０は、光ファイバーに入射された光を全反射して伝送する。ファイバーオプティックプレート１２０の光ファイバーのピッチは、画像表示装置１１０の画素ピッチ以下であることが好ましい。ファイバーオプティックプレート１２０として、例えば、浜松ホトニクス社製のファイバーオプティックプレートＪ１２２２１（ＮＡ＝０．４３、受光角度±２５．５°）を適用することができる。したがって、第１の透過光は２５．５°以下の範囲に制限できる。
【０１００】
また、ファイバーオプティックプレート１２０に代えて、ルーバーを適用することができる。ルーバーとして、エレコム社製のルーバーフィルム２００−ＬＣＤ０２４を適用することができる。２００−ＬＣＤ０２４は視野角６０°である。入射角で換算すると３０°となる。したがって、第１の透過光は３０°以下の範囲に制限できる。
【０１０１】
ファイバーオプティックプレート１２０は、画像表示装置１１０の画像表示面の全域を覆うことが好ましい。
【０１０２】
図１０、及び図１１に示されるように、画像露光装置１００は、干渉フィルタ１３０を備える。干渉フィルタ１３０が、ファイバーオプティックプレート１２０に対して画像表示装置１１０と反対側に配置される。干渉フィルタ１３０は上述のTFCalcを利用することにより、高屈折率層、及び低屈折率層の層数、及び膜厚を設計することができる。干渉フィルタ１３０は、例えば、５μｍ以上５０μｍ以下であることが好ましい。干渉フィルタ１３０は、例えば、ファイバーオプティックプレート１２０の画像表示装置１１０と反対側の面に積層することが好ましい。ファイバーオプティックプレート１２０を高屈折率層と低屈折率層とを支持する基板として適用できる。
【０１０３】
図１０、及び図１１に示されるように、画像露光装置１００は、感光性記録媒体を構成するインスタントフィルム１４２と、インスタントフィルム１４２を収納するケース１４４とから構成されるフィルムパック１４０を備える。フィルムパック１４０を支持するための感光性記録媒体支持部である筐体１４８を備える。筐体１４８はフィルムパック１４０を着脱可能に支持することができる。
【０１０４】
ケース１４４は、複数のインスタントフィルム１４２を収納することができる。図１１に示されるように、ケース１４４、及び筐体１４８には、画像表示装置１１０に対向する側に、開口部１４６が形成されている。
【０１０５】
インスタントフィルム１４２は矩形のカード形状を有する。インスタントフィルム１４２は、裏面側が露光面１４２Ａ、正面側が観察面１４２Ｂとして構成される。露光面１４２Ａが、平行光による露光により像を記録する面であり、観察面１４２Ｂが、記録された像を観察する面である。
【０１０６】
インスタントフィルム１４２の露光面１４２Ａには、露光部と、露光部を挟んでポッド部とトラップ部とを有する（不図示）。ポッド部には現像処理液を内包した現像処理液ポッドが内蔵されている。トラップ部には吸収剤が内蔵される。
【０１０７】
インスタントフィルム１４２は、露光後、ポッド部の現像処理液を露光部に展開させることにより現像処理される。ポッド部の現像処理液は、インスタントフィルム１４２をローラー対（不図示）の間に通すことで、ポッド部から絞り出され、露光部に展開される。展開処理時に余った現像処理液が、トラップ部で捕捉される。
【０１０８】
第１実施形態では画像表示装置１１０がＸ−Ｙ方向に延びる二次元状に配列された画素を有する。画像表示装置１１０の画像表示面の大きさおよび形状は、ファイバーオプティックプレート１２０と、干渉フィルタ１３０と、インスタントフィルム１４２の二次元状の露光面の大きさおよび形状と略同じである。したがって、画像表示装置１１０から放射される画像を、インスタントフィルム１４２の露光面の二次元状の全ての領域を同時に露光することができる。
【０１０９】
露光したい画像を画像表示装置１１０に表示させる。画像表示装置１１０の画素から放射される放射光は、ファイバーオプティックプレート１２０を透過することにより、放射光の放射角より狭い第１の放射角の範囲内に放射される第１の透過光にされ、干渉フィルタ１３０を透過することにより、第１の放射角の範囲以下の第２の放射角の範囲内に放射され、例えば、平行光に近い第２の透過光になる。第２の透過光がインスタントフィルム１４２の露光面１４２Ａに到達し、インスタントフィルム１４２を同時に露光することができる。露光面１４２Ａの二次元状の全ての領域を同時に露光する態様として、例えば、１次元状に画素が配列された画像表示装置を、複数並べて二次元状とし、同時に露光してもよい。
【０１１０】
露光後、現像処理がインスタントフィルム１４２に対し行われる。インスタントフィルム１４２には、画像ぼけのほとんどない、画像が形成される。画質の低下が抑制されることが、上述した原理から容易に理解できる。
【０１１１】
なお、画像表示装置１１０が画像を表示する時間を制御することにより、画像表示装置１１０はシャッターの機構を持つことができる。また、画像表示装置１１０とインスタントフィルム１４２との間に、シャッター機構を設けることもできる。
【０１１２】
画像表示装置１１０が携帯端末である場合、画像表示装置１１０は、画像露光装置１００に対して着脱可能であることが好ましい。例えば、画像表示装置１１０の使用者が、画像表示装置１１０により画像を取得する。使用者は、画像表示装置１１０を画像露光装置１００の一部の構成として取り付ける。画像表示装置１１０の画像により、インスタントフィルム１４２を露光する。露光後、画像露光装置１００から画像表示装置１１０を取り出し、画像表示装置１１０により新たな画像を取得することができる。
【０１１３】
＜第２実施形態＞
第２実施形態について図１２を参照して説明する。なお、上述した第１実施形態と同一の作用を奏する部分には、同一の符号を付することによりその部分の詳細な説明を省略し、主に他の実施形態と異なる点を説明する。
【０１１４】
図１２に示されるように、画像露光装置１００は、画像表示装置１１０と、ファイバーオプティックプレート１２０と、干渉フィルタ１３０と、複数のインスタントフィルム（不図示）を収納するケース１４４により構成されるフィルムパック１４０と、を備える。
【０１１５】
第１実施形態と異なり、第２実施形態の画像表示装置１１０は、一次元状である。一次元とは、Ｘ−Ｙ方向の一方の方向に延びる状態を意味する。図１２に示されるように、画像表示装置１１０はＸ方向に延びている。画像表示装置１１０は、一次元状に配列された画素を有している。
【０１１６】
画像表示装置１１０は、インスタントフィルムのＸ方向とほぼ同じ長さである。一方で、画像表示装置１１０は一次元であるので、画像表示装置１１０のＹ方向の長さは、インスタントフィルムのＹ方向の長さより短い。画像表示装置１１０はインスタントフィルムの露光面より小さいことになる。
【０１１７】
第２実施形態では、インスタントフィルムを露光するため、画像表示装置１１０は、画素の配列方向であるＸ方向に対して垂直方向であるＹ方向に沿って走査される。
【０１１８】
図１２に示されるように、画像露光装置１００は、画像表示装置１１０を走査するための走査部２００を備える。走査部２００は、画像表示装置１１０の両端を支持する支持部２１０と、フィルムパック１４０を支持する支持台２２０と、支持台２２０に内蔵される駆動部（不図示）と、を備える。支持台２２０はレール２５０を備え、駆動部は支持部２１０をレール２５０に沿ってＹ方向に走査することができる。
【０１１９】
走査部２００が画像表示装置１１０を垂直方向に走査しながら、画像表示装置１１０はインスタントフィルムを順次露光することができる。画像表示装置１１０の画像表示と、走査部２００の駆動とを、同期させるため不図示の制御部を備えることが好ましい。
【０１２０】
画像表示装置１１０の画素から放射される放射光は、ファイバーオプティックプレート１２０、及び干渉フィルタ１３０を透過することにより、平行光に近い第２の透過光になる。第２の透過光がインスタントフィルム１４２の露光面１４２Ａに到達し、インスタントフィルム１４２を順次露光することができる。
【０１２１】
露光後、現像処理がインスタントフィルム１４２に行われる。インスタントフィルム１４２には、画像ぼけのほとんどない、画像が形成される。画質の低下が抑制されることは、上述した原理から容易に理解できる。
【０１２２】
図１３は、第２実施形態の画像露光装置１００の変形例を示す。変形例の画像露光装置１００は、画像表示装置１１０と、ファイバーオプティックプレート１２０と、干渉フィルタ１３０と、インスタントフィルム１４２を収納するケース１４４により構成されるフィルムパック１４０を着脱可能に支持する筐体１４８と、を備える。
【０１２３】
変形例の画像露光装置１００では、ファイバーオプティックプレート１２０と、干渉フィルタ１３０とが、画像表示装置１１０の画素の配列方向と同様にＸ方向に延びる一次元状で構成される。
【０１２４】
走査部２００は、画像表示装置１１０と、ファイバーオプティックプレート１２０と、干渉フィルタ１３０とを、画像表示装置１１０の画素の配列方向に対して垂直方向に沿って走査させる。画像表示装置１１０は、走査しながら、インスタントフィルム１４２を順次露光することができる。
【０１２５】
第１実施形態と同様に、画像表示装置１１０の画素から放射される放射光は、ファイバーオプティックプレート１２０、及び干渉フィルタ１３０を透過することにより、平行光に近い第２の透過光になる。第２の透過光がインスタントフィルム１４２の露光面１４２Ａに到達し、インスタントフィルム１４２を順次露光することができる。
【０１２６】
露光後、現像処理がインスタントフィルム１４２に対し行われる。インスタントフィルム１４２には、画像ぼけのほとんどない、画像が形成される。画質の低下が抑制されることは、上述した原理から容易に理解できる。
【０１２７】
画像表示装置１１０を走査しながら露光する場合を説明したが、画像表示装置１１０とインスタントフィルム１４２とが相対的に走査できれば、インスタントフィルムを走査しながら露光してもよい。すなわち、画像表示装置１１０及びインスタントフィルム１４２の少なくとも一方を走査させればよい。
【０１２８】
＜第３実施形態＞
第３実施形態について図１４を参照して説明する。なお、上述した第１実施形態及び第２実施形態と同一の作用を奏する部分には、同一の符号を付することによりその部分の詳細な説明を省略し、主に他の実施形態と異なる点を説明する。
【０１２９】
図１４に示されるように、画像露光装置１００は、画像表示装置１１０と、ファイバーオプティックプレート１２０と、干渉フィルタ１３０と、複数のインスタントフィルム（不図示）を収納するケース１４４により構成されるフィルムパック１４０を着脱可能に支持する筐体１４８と、走査部２００と、を備える。
【０１３０】
第２実施形態と異なり、第３実施形態の画像表示装置１１０は、二次元状である。また、画像表示装置１１０は感光性記録媒体であるインスタントフィルムの露光面より小さい面積となる領域の上に二次元状に配列された画素を有している。複数の画素は、例えば、行列状に二次元状に配列されることが好ましい。
【０１３１】
インスタントフィルムを露光するため、第２実施形態と同様に、第３実施形態は、走査部２００を備える。一方で、第２実施形態と異なり、第３実施形態の走査部２００は、画像表示装置１１０をＹ方向に走査するだけでなく、Ｘ方向にも走査することができる。
【０１３２】
例えば、行列状に二次元状に配列された画素では、行方向をＸ方向とした場合、行方向（Ｘ方向）と行方向（Ｘ方向）に対して垂直となる方向（Ｙ方向）の両方向に沿って、走査部を走査させることが好ましい。
【０１３３】
したがって、走査部２００は、ボールネジ２３０と、ボールネジ２３０に係合するナットを備える移動部２４０と、を備える。ボールネジ２３０の回転運動により、移動部２４０はＸ方向に移動できる。移動部２４０は、画像表示装置１１０を保持するための保持部（不図示）を有することが好ましい。
【０１３４】
走査部２００が画像表示装置１１０をＸ方向とＹ方向とに走査しながら、画像表示装置１１０はインスタントフィルムを順次露光することができる。画像表示装置１１０の画像表示と、走査部２００の駆動とを、同期させるため不図示の制御部を備えることが好ましい。
【０１３５】
第３実施形態では、画像表示装置１１０より大きな露光面を有する感光性記録媒体に露光する場合に有効に適用することができる。
【０１３６】
第１実施形態と同様に、画像表示装置１１０の画素から放射される放射光は、ファイバーオプティックプレート１２０、及び干渉フィルタ１３０を透過することにより、平行光に近い第２の透過光になる。第２の透過光がインスタントフィルム１４２の露光面１４２Ａに到達し、インスタントフィルム１４２を順次露光することができる。
【０１３７】
露光後、現像処理がインスタントフィルム１４２に対し行われる。インスタントフィルム１４２には、画像ぼけのほとんどない、画像が形成される。画質の低下が抑制されることは、上述した原理から容易に理解できる。
【０１３８】
図１５は、第３実施形態の画像露光装置１００の変形例を示す。変形例の画像露光装置１００は、画像表示装置１１０と、ファイバーオプティックプレート１２０と、干渉フィルタ１３０と、インスタントフィルム１４２を収納するケース１４４により構成されるフィルムパック１４０を着脱可能に支持する筐体１４８と、走査部２００と、を備える。
【０１３９】
変形例の画像露光装置１００では、ファイバーオプティックプレート１２０と、干渉フィルタ１３０とが、画像表示装置１１０と同様に感光性記録媒体であるインスタントフィルム１４２より小さい二次元状である。
【０１４０】
走査部２００が、画像表示装置１１０と、ファイバーオプティックプレート１２０と、干渉フィルタ１３０と、をＸ方向とＹ方向とに走査しながら、画像表示装置１１０はインスタントフィルム１４２を順次露光することができる。画像表示装置１１０の画像表示と、走査部２００の駆動とを、同期させるため不図示の制御部を備えることが好ましい。
【０１４１】
画像表示装置１１０の画素から放射される放射光は、ファイバーオプティックプレート１２０、及び干渉フィルタ１３０を透過することにより、平行光に近い第２の透過光になる。第２の透過光がインスタントフィルム１４２の露光面１４２Ａに到達し、インスタントフィルム１４２を順次露光することができる。
【０１４２】
露光後、インスタントフィルム１４２に対し現像処理が行われる。インスタントフィルム１４２には、画像ぼけのほとんどない、画像が形成される。画質の低下が抑制されることは、上述した原理から容易に理解できる。
【０１４３】
画像表示装置１１０をＸ方向とＹ方向とに走査しながら露光する場合を説明したが、画像表示装置１１０とインスタントフィルム１４２とが相対的に走査できれば、インスタントフィルムをＸ方向とＹ方向とに走査しながら、露光してもよい。すなわち、画像表示装置１１０及びインスタントフィルム１４２の少なくとも一方をＸ方向とＹ方向の両方向に沿って走査させればよい。
【０１４４】
第２実施形態と第３実施形態では、画像表示装置が感光性記録媒体より小さい。画像表示装置の画素から放射される放射光による露光範囲において、隣り合う露光範囲が一部重複してもよい。露光範囲の一部を重複させない場合、感光性記録媒体の上に未露光領域が発生する懸念がある。未露光領域に起因する感光性記録媒体に画像が形成されない状態を回避することが好ましい。
【符号の説明】
【０１４５】
１０  画像露光装置
２０  画像表示装置
２１  画素
２３  画像表示面
４０  感光性記録媒体
４１  露光面
５０  コリメート部
６０  干渉フィルタ
７０  感光性記録媒体支持部
１００  画像露光装置
１１０  画像表示装置
１２０  ファイバーオプティックプレート
１３０  干渉フィルタ
１４０  フィルムパック
１４２  インスタントフィルム
１４２Ａ  露光面
１４２Ｂ  観察面
１４４  ケース
１４６  開口部
１４８  筐体
２００  走査部
２１０  支持部
２２０  支持台
２３０  ボールネジ
２４０  移動部
２５０  レール
ＲＬ  放射光
ＴＬ１  第１の透過光
ＴＬ２  第２の透過光θ１  第１の放射角θ２  第２の放射角
【図１】
2019093038.tif 000007
【図２】
2019093038.tif 000008
【図３】
2019093038.tif 000009
【図４】
2019093038.tif 000010
【図５】
2019093038.tif 000011
【図６】
2019093038.tif 000012
【図７】
2019093038.tif 000013
【図８】
2019093038.tif 000014
【図９】
2019093038.tif 000015
【図１０】
2019093038.tif 000016
【図１１】
2019093038.tif 000017
【図１２】
2019093038.tif 000018
【図１３】
2019093038.tif 000019
【図１４】
2019093038.tif 000020
【図１５】
2019093038.tif 000021
【国際調査報告】
2019093038.tif 000022
2019093038.tif 000023
2019093038.tif 000024
2019093038.tif 000025